(57)【要約】【課題】露点計バイパス弁のみを調整することで、露点計サンプリングガス流量の流量調整、規定流量を容易に確保する。【解決手段】露点計バイパス弁１２を全開にし、流量調整弁４も全開にした状態から露点計バイパス弁１２を徐々に絞り、露点計バイパスライン１３に流れていたサンプリングガスを徐々に減量させ、一方検出器ライン８に流れるサンプリングガスの流量を増量させ、更に、露点計バイパス弁１２を絞り、検出器ライン８の流量を増量させることにより、露点計露点計バイパスライン１３と検出器ライン８に所定流量を確保するためにサンプリングガスの流量を調整する。【選択図】図２
2008261676.tif 000002
【特許請求の範囲】
【請求項１】
格納容器露点計の複数のサンプリングライン（１ａ，１ｂ，１ｃ，１ｄ）の各バイパス弁（２）を挟むように、各サンプリングライン（１ａ，１ｂ，１ｃ，１ｄ）から分岐して該バイパス弁（２）の上流側に露点計入口弁（６）を、該バイパス弁（２）の下流側に露点計出口弁（７）をそれぞれ配置し、各露点計入口弁（６）から合流するように検出器ライン（８）の上流側を配管し、該検出器ライン（８）の下流側は各露点計出口弁（７）に分散するように配管し、前記検出器ライン（８）の上流から、露点計検出器（９）、露点計流量計（１０）、露点計流量調整弁（１１）の順に配置し、前記検出器ライン（８）をバイパスするように、露点計バイパス弁（１２）を設けた露点計バイパスライン（１３）を配置した調整範囲において、露点計サンプリングガスの流量を調整する調整方法であって、
先ず、前記露点計バイパス弁（１２）を全開にし、前記流量調整弁（４）も全開にした状態から該露点計バイパス弁（１２）を徐々に絞り、前記露点計バイパスライン（１３）に流れていたサンプリングガスを徐々に減量させ、一方前記検出器ライン（８）に流れるサンプリングガスの流量を増量させ、
更に、前記露点計バイパス弁（１２）を絞り、検出器ライン（８）の流量を増量させることにより、露点計バイパスライン（１３）と検出器ライン（８）に所定流量を確保するためにサンプリングガスの流量を調整する、ことを特徴とする格納容器露点計サンプリングガス流量調整方法。
【請求項２】
格納容器露点計の複数のサンプリングライン（１ａ，１ｂ，１ｃ，１ｄ）の各バイパス弁（２）を挟むように、各サンプリングライン（１ａ，１ｂ，１ｃ，１ｄ）から分岐して該バイパス弁（２）の上流側に露点計入口弁（６）を、該バイパス弁（２）の下流側に露点計出口弁（７）をそれぞれ配置し、各露点計入口弁（６）から合流するように検出器ライン（８）の上流側を配管し、該検出器ライン（８）の下流側は各露点計出口弁（７）に分散するように配管し、前記検出器ライン（８）の上流から、露点計検出器（９）、露点計流量計（１０）、露点計流量調整弁（１１）の順に配置し、前記検出器ライン（８）をバイパスするように、露点計バイパス弁（１２）を設けた露点計バイパスライン（１３）を配置した調整範囲において、露点計サンプリングガスの流量を調整する調整方法であって、
先ず、前記バイパス弁（２）を全開にし、前記露点計入口弁（６）を全閉にし、前記露点計出口弁（７）も全閉にし、前記露点計流量調整弁（１１）を用いてサンプリングライン（１ａ，１ｂ，１ｃ，１ｄ）の流量を５リットル／ｍｉｎに調整し、
次に、１箇所の露点計入口弁（６）を全開にし、同じく１箇所の露点計出口弁（７）も全開にし、前記露点計流量調整弁（１１）を全開にし、前記露点計バイパス弁（１２）を全開にし、前記バイパス弁（２）を全閉にし、
最後に、前記露点計バイパス弁（１２）により、前記検出器ライン（８）のサンプリングガスの流量が１リットル／ｍｉｎとなるように、その流量を増加させるときは該露点計バイパス弁（１２）を調整閉にし、逆にその流量を減少させるときは該露点計バイパス弁（１２）を調整開にして流量を調整する、ことを特徴とする格納容器露点計サンプリングガス流量調整方法。
【発明の詳細な説明】
【技術分野】
【０００１】
本発明は、原子力発電所等の発電プラントにおける格納容器露点計の測定技術に係り、特に格納容器露点計のサンプリングラインを切り替え、露点計サンプリングガス流量を調整する格納容器露点計サンプリングガス流量調整方法に関する。
【背景技術】
【０００２】
発電プラントにおいて、定格出力到達後、格納容器内の漏洩監視のためサンプリング点の切替えを行い異常の有無を確認している。例えば１個所あたり約６時間測定している。このような露点計によるサンプスガスの測定に関して、種々の技術が提案されている、例えば、特許文献１の特開２００２−１８９００７号公報「気体中の湿分測定方法および装置」に示すように、鏡面冷却式露点計を配設したサンプリング配管の該露点計入側に、流量計、圧力計、温度計、流量調整器、および機械的除塵フィルターを配設して、サンプル気体中の塵芥を除去しかつ一定流量の大気圧に調整した該気体中の湿分を測定する方法において、前記除塵フィルターの入側に水溶性物質除去装置を配設し、該気体中の水溶性物質を、銅、鉛、カルシウム、マンガンの１種または２種以上との化学反応に基づいて除去した状態で露点計測を行う気体中の湿分測定方法が提案されている。
【特許文献１】特開２００２−１８９００７号公報
【０００３】
格納容器露点計のサンプリングガス流量の調整については、図３の概略回路図に示すようなものが提案されている。格納容器露点計の複数のサンプリングライン１には、上流から、バイパス弁２、流量計３、流量調整弁４を配置し、これらの流量調整弁４を合流した下流にポンプ５を配置している。各バイパス弁２を挟むように、各サンプリングライン１から分岐してバイパス弁２の上流側に露点計入口弁６を、バイパス弁２の下流側に露点計出口弁７をそれぞれ配置し、各露点計入口弁６から合流するように検出器ライン８の上流側を配管し、検出器ライン８の下流側は各露点計出口弁７に分散するように配管している。この検出器ライン８には、その上流から、露点計検出器９、露点計流量計１０、露点計流量調整弁１１をこの順番で配置している。この検出器ライン８には、露点計バイパス弁１２を設けた露点計バイパスライン１３を配置している。この調整範囲において、格納容器露点計のサンプリングラインを１日に４回切り替えており、露点計サンプル流量が調整範囲に入らなくなった場合は、担当部署へ連絡すると共に、その流量調整を行っていた。
【０００４】
従来の露点計によりサンプリングガスを測定するときは、格納容器内のサンプリングガスを４本のサンプリングライン１でサンプリングし、各サンプリングライン１に５リットル／ｍｉｎの流量で流す。露点計検出器９にはこの内の１ラインを分岐させ、５リットル／ｍｉｎの内の１リットル／ｍｉｎのサンプリングガスを供給し、残りは露点計バイパスライン１３に流して測定していた。
【発明の開示】
【発明が解決しようとする課題】
【０００５】
しかし、露点計検出器９の規定流量（１リットル／ｍｉｎ）を１台の露点計流量調整弁１１で調整するが、サンプリングライン１を切替えた時に行う流量調整において、調整範囲内に収まらないことがあった。
【０００６】
また、検出器ライン８の余ったサンプリングガス（４リットル／ｍｉｎ）は露点計バイパスライン１３を通ることにより、露点計検出器９の下流の露点計流量調整弁１１では合計５リットル／ｍｉｎが流れることになるが、露点計流量調整弁１１及び露点計バイパス弁１２の両方を絞っているため，配管全体としての圧力損失が大きくなり、下流の流量計３は規定の５リットル／ｍｉｎを確保できないという問題を有していた。
【０００７】
本発明は、かかる問題点を解決するために創案されたものである。すなわち、本発明の目的は、露点計バイパス弁のみを調整することで、露点計サンプリングガス流量の流量調整、規定流量を容易に確保することができる格納容器露点計サンプリングガス流量調整方法を提供することにある。
【課題を解決するための手段】
【０００８】
本発明によれば、格納容器露点計の複数のサンプリングライン（１ａ，１ｂ，１ｃ，１ｄ）の各バイパス弁（２）を挟むように、各サンプリングライン（１ａ，１ｂ，１ｃ，１ｄ）から分岐して該バイパス弁（２）の上流側に露点計入口弁（６）を、該バイパス弁（２）の下流側に露点計出口弁（７）をそれぞれ配置し、各露点計入口弁（６）から合流するように検出器ライン（８）の上流側を配管し、該検出器ライン（８）の下流側は各露点計出口弁（７）に分散するように配管し、前記検出器ライン（８）の上流から、露点計検出器（９）、露点計流量計（１０）、露点計流量調整弁（１１）の順に配置し、前記検出器ライン（８）をバイパスするように、露点計バイパス弁（１２）を設けた露点計バイパスライン（１３）を配置した調整範囲において、露点計サンプリングガスの流量を調整する調整方法であって、先ず、前記露点計バイパス弁（１２）を全開にし、前記流量調整弁（４）も全開にした状態から該露点計バイパス弁（１２）を徐々に絞り、前記露点計バイパスライン（１３）に流れていたサンプリングガスを徐々に減量させ、一方前記検出器ライン（８）に流れるサンプリングガスの流量を増量させ、更に、前記露点計バイパス弁（１２）を絞り、検出器ライン（８）の流量を増量させることにより、露点計バイパスライン（１３）と検出器ライン（８）に所定流量を確保するためにサンプリングガスの流量を調整する、ことを特徴とする格納容器露点計サンプリングガス流量調整方法が提供される。
【０００９】
例えば、流量調整に際して、先ず前記バイパス弁（２）を全開にし、前記露点計入口弁（６）を全閉にし、前記露点計出口弁（７）も全閉にし、前記露点計流量調整弁（１１）を用いてサンプリングライン（１ａ，１ｂ，１ｃ，１ｄ）の流量を５リットル／ｍｉｎに調整し、次に、１箇所の露点計入口弁（６）を全開にし、同じく１箇所の露点計出口弁（７）も全開にし、前記露点計流量調整弁（１１）を全開にし、前記露点計バイパス弁（１２）を全開にし、前記バイパス弁（２）を全閉にし、最後に、前記露点計バイパス弁（１２）により、前記検出器ライン（８）のサンプリングガスの流量が１リットル／ｍｉｎとなるように、その流量を増加させるときは該露点計バイパス弁（１２）を調整閉にし、逆にその流量を減少させるときは該露点計バイパス弁（１２）を調整開にして流量を調整する。
【発明の効果】
【００１０】
上記構成の発明では、露点計バイパス弁（１２）を全開にし、露点計流量調整弁（１１）も全開にした場合、サンプリングガスは、配管抵抗の少ない露点計バイパスライン（１３）を流れ、検出器ライン（８）にはほとんど流れなくなる。これは、検出器ライン（８）には、露点計検出器（９）、露点計流量計（１０）、露点計流量調整弁（１１）があるため圧力損失があるからである。そこで、露点計バイパス弁（１２）のみを調整することにより、露点計サンプリングガス流量の流量調整及び規定流量を容易に確保することができる。
【発明を実施するための最良の形態】
【００１１】
本発明のサンプリングガス流量調整方法は、露点計バイパス弁を全開にし、露点計流量調整弁も全開した状態から露点計バイパス弁を徐々に絞り、バイパスラインに流れていたサンプリングガスを徐々に減量させ、一方、検出器ラインに流れるサンプリングガスの流量を増量させ、更に露点計バイパス弁を絞り、検出器ラインの流量を増量させることにより、露点計バイパスラインと検出器ラインに所定の流量を確保する調整方法である。
【実施例１】
【００１２】
以下、本発明の好ましい実施の形態を図面を参照して説明する。
図１は本発明の格納容器露点計の複数のサンプリングガス流量調整方法を実施するときの概略回路図である。
本発明の格納容器露点計のサンプリングガスの流量調整のための概略回路は、４本のサンプリングライン１ａ，１ｂ，１ｃ，１ｄに、その上流からバイパス弁２、流量計３、流量調整弁４を配置し、これらの流量調整弁４を合流した下流にポンプ５を配置したものである。図示例の上段から「格納容器中部のサンプリングガス」１ａ、「格納容器下部のサンプリングガス」１ｂ、「格納容器ＲＰＶ下鏡のサンプリングガス」１ｃ、「格納容器ＣＲＤ配管のサンプリングガス」１ｄに関するサンプリングラインである。なお、露点計でサンプリングガスを測定するものであれば、このような４本のサンプリングラインに限定されず、その本数を可変することができる。
【００１３】
各サンプリングライン１ａ，１ｂ，１ｃ，１ｄのそれぞれバイパス弁２を挟むように、各サンプリングライン１ａ，１ｂ，１ｃ，１ｄから分岐してバイパス弁２の上流側に露点計入口弁６を、バイパス弁２の下流側に露点計出口弁７をそれぞれ配置し、各露点計入口弁６から合流するように検出器ライン８の上流側を配管し、検出器ライン８の下流側は各露点計出口弁７に分散するように配管した。
【００１４】
この検出器ライン８には、その上流から、露点計検出器９、露点計流量計１０、露点計流量調整弁１１の順に配置した。更にこの検出器ライン８には、サンプリングガスをバイパスするように、露点計バイパス弁１２を設けた露点計バイパスライン１３を配置した。
【００１５】
図２はサンプリングガスの流量を調整するときの弁の開閉と流路状態を示す概略回路図であり、（ａ）は流量を調整する前の回路状態、（ｂ）は流量調整を開始した回路状態、（ｃ）は所定流量を確保した回路状態である。図示例は、「格納容器中部のサンプリングガス」のサンプリングライン１ａについて流量調整する状態である。太線の矢視線は流路方向を示す。
先ず、図２（ａ）のサンプリングガスの流量を調整する前の回路状態に示すように、各サンプリングライン１ａ，１ｂ，１ｃ，１ｄの各バイパス弁２を全開にする。一方、全露点計入口弁６を全閉にし、全露点計出口弁７も全閉にする。このとき、各流量調整弁４を用いて各サンプリングライン１ａ，１ｂ，１ｃ，１ｄの流量を５リットル／ｍｉｎに調整する。
【００１６】
次に、図２（ｂ）のサンプリングガスの流量の調整を開始した回路状態に示すように、サンプリングライン１ａの１箇所の露点計入口弁６を全開にし、同じく１箇所の露点計出口弁７も全開にする。同時に露点計バイパス弁１２を全開にし、露点計流量調整弁１１も全開にする。
【００１７】
この露点計バイパス弁１２を全開し、露点計流量調整弁１１も全開にした状態から露点計バイパス弁１２を徐々に絞り、露点計バイパスライン１３を約５リットル／ｍｉｎの流量で流れていたサンプリングガスを徐々に減量させる。一方、検出器ライン８に流れるサンプリングガスの流量を１リットル／ｍｉｎまでに増量させる。
【００１８】
最後に、図２（ｃ）のサンプリングガスの流量を調整して所定流量を確保した回路状態に示すように、露点計バイパス弁１２により、検出器ライン８のサンプリングガスの流量が１リットル／ｍｉｎとなるように、その流量を増加させるときは露点計バイパス弁１２を調整閉にし、逆にその流量を減少させるときは該露点計バイパス弁１２を調整開にして流量を調整する。このように露点計バイパス弁１２のみを用いて流量を調整することにより、全ての流量調整を容易に実施することができる。
【００１９】
定格出力到達後に、格納容器内の漏洩監視のためサンプリング点を切替え、例えば１個所あたり約６時間測定を行い異常の有無を確認する。次のような手順で実施する。
格納容器下部ガスの次に、ＲＰＶ下鏡部ガスに切替える。この切替は１時頃に実施する。ＲＰＶ下鏡部ガスの次に、格納容器内ＣＲＤ配管に切替える。この切替は７時頃に実施する。格納容器内ＣＲＤ配管の次に、格納容器中部ガスに切替える。この切替は１１時頃に実施する。格納容器中部ガスの次に、格納容器下部ガスに切替える。この切替は１８時頃に実施する。
循環流量が４．０〜６.０Ｎリットル／ｍｉｎであることが望ましい。この範囲を外れた場合に流量調整を実施する。
【００２０】
なお、本発明は、露点計バイパス弁１２のみを調整することで、露点計サンプリングガス流量の流量調整、規定流量を容易に確保できれば、上述した発明の実施の形態に限定されず、本発明の要旨を逸脱しない範囲で種々変更できることは勿論である。
【産業上の利用可能性】
【００２１】
本発明の格納容器露点計サンプリングガス流量調整方法は、原子力発電プラントの格納容器露点計などに利用することができる。
【図面の簡単な説明】
【００２２】
【図１】本発明の格納容器露点計の複数のサンプリングガス流量調整方法を実施するときの概略回路図である。
【図２】サンプリングガスの流量を調整するときの弁の開閉と流路状態を示す概略回路図であり、（ａ）は流量を調整する前の回路状態、（ｂ）は流量調整を開始した回路状態、（ｃ）は所定流量を確保した回路状態である。
【図３】従来のサンプリングガスの流量を調整するときの弁の開閉と流路状態を示す概略回路図である。
【符号の説明】
【００２３】
１ａ，１ｂ，１ｃ，１ｄ  サンプリングライン
２  バイパス弁
６  露点計入口弁
７  露点計出口弁
８  検出器ライン
９  露点計検出器
１０  露点計流量計
１１  露点計流量調整弁
１２  露点計バイパス弁
１３  露点計バイパスライン
【図１】
2008261676.tif 000003
【図２】
2008261676.tif 000004
【図３】
2008261676.tif 000005